(57)【要約】【課題】地中埋設物の位置を的確に表示できる図面管理システムを合理的に構成する。【解決手段】複数の埋設施設データベース１、２、１０に保存された情報に基づき埋設物の平面的な配置をディスプレイ６に表示する平面配置図表示ルーチンと、この平面配置図表示ルーチンでディスプレイ６に配置された埋設物を任意の位置で切断した縦断面として表示する断面配置図表示ルーチンとを備えると共に、複数の埋設施設データベース１、２、１０をインターネットＮを介して埋設施設情報を送り出すよう構成した。【選択図】　　　　図２
2004110517.tif 000002
【特許請求の範囲】
【請求項１】
地中に埋設された管理対象施設毎に対応する形状を示す図形データと当該管理対象施設の埋設位置データを含む属性データから成る埋設施設データベースと、前記埋設施設データベースに基づいて前記管理対象施設を平面配置図面として管理する平面配置図面管理手段とを備えて成る図面管理装置が複数台ネットワーク接続された図面管理システムであって、
前記図面管理装置の少なくとも一つに前記平面配置図面に入力された切断面データで特定される特定切断面における前記管理対象施設の断面配置図面を前記埋設施設データベースに格納されたデータから自動生成する断面配置図面生成手段を備え、
前記断面配置図面生成手段は、自己の管理対象外施設の断面配置図面を生成するのに必要な情報を他の図面管理装置で管理される管理対象施設から入力して合成断面配置図面を生成する合成断面配置図面生成部を備えて成る図面管理システム。
【請求項２】
前記合成断面配置図面生成部は、少なくとも他の図面管理装置に対して、前記平面配置図面に入力された切断面データを送信するものである請求項１記載の図面管理システム。
【請求項３】
前記他の図面管理装置は、受信した前記切断面データに基づいて自己の管理対象施設の断面配置図面データを返信する断面配置図面データ返信手段を備えて成る請求項２記載の図面管理システム。
【請求項４】
前記平面配置図面管理手段は、平面配置図面を生成するに必要な情報を他の図面管理装置から入力して前記管理対象施設を平面配置図面として生成できるよう構成され、前記合成断面配置図面生成部は、他の図面管理装置から入力された前記情報から前記管理対象施設の切断配置図面を生成できるよう構成されて成る請求項１記載の図面管理システム。
【請求項５】
前記断面配置図面生成手段は、前記平面配置図面が表示されたディスプレイの表示面上にポインティングデバイスで表示位置変更自在に切断指標を表示すると共に、この切断指標の表示位置から切断位置と、断面幅とを設定し、この設定に基づき前記切断面データを生成するように構成されている請求項１〜４のいずれか１項に記載の図面管理システム。
【発明の詳細な説明】
【０００１】
【発明の属する技術分野】
本発明は、地中に埋設された管理対象施設毎に対応する形状を示す図形データと当該管理対象施設の埋設位置データを含む属性データから成る埋設施設データベースと、前記埋設施設データベースに基づいて前記管理対象施設を平面配置図面として管理する平面配置図面管理手段とを備えて成る図面管理装置が複数台ネットワーク接続された図面管理システムに関し、詳しくは、ディスプレイ等に表示された平面配置図面の特定の位置を指定することにより、その部位の管理対象施設の断面配置図面を生成する技術に関する。
【０００２】
【従来の技術】
ネットワーク接続されていないものであるが、上記のように管理対象施設の断面配置図面を生成可能な図面管理システムがある（例えば、特許文献１、特許文献２参照）。
【０００３】
【特許文献１】
特開平６‐２２３１２６号公報　（請求項１、段落番号〔００１５〕〜〔００２６〕、図５、図６、図９）
【特許文献２】
特開平６‐１０８５０１号公報　（請求項１、段落番号〔００４９〕〜〔００６４〕、図６、図１２）
【０００４】
【発明が解決しようとする課題】
特許文献１について考えるに、この特許文献１では、ディスプレイ画面において切断線で指定された部位の地中埋設設備の情報を道路切断面としてディスプレイに表示するよう構成されている。具体的には、道路平面図と地中埋設物とをディスプレイに表示し、ディスプレイ中に任意の２点を指定して切断線を描画した後に、この切断線に交差する地中埋設物の配設位置と埋設深さとを求め、これに基づいて断面図を作成してディスプレイに表示するよう構成されている。
【０００５】
特許文献２について考えるに、この特許文献２では、始点と終点との入力を行うことにより、送配水管網縦断面図を作図すべき送配水管路区間を探索し、探索された出力経路に沿ったノードとリンクとに関連するデータを順次検索して送配水管網縦断面図作成のためのデータを生成し、線図の形態で送配水管網縦断面を生成してＣＲＴ表示装置に表示するよう構成されている。
【０００６】
ここで、特に特許文献１のように道路を横断する形態で断面図を生成するものでは、道路に埋設された水道管やガス管、あるいは、下水設備等の埋設物の位置を総合的に的確に把握できるので、水道に関連する工事を行う場合に水道管の位置を的確に把握でき、又、道路工事において水道管やガス管を誤って破損する事態を未然に回避することを可能にするものである。
【０００７】
しかしながら、現在の管理状況を考えるに、水道は市や町等の公的機関が管理し、ガス管はガスを供給する企業が管理し、又、道路に敷設される商用の通信回線は通信回線を運用する企業が管理するものであり、例えば、水道の工事を行う場合に誤ってガス管を破損する事故も想定され、これと同様にガス管の工事を行う場合に、水道管を破損する事故も想定され、工事を行う場合には細心の注意を必要とし、作業能率を低下させているのが現状である。この不都合は、地中埋設物が個別に管理されることに起因するものであり改善が望まれている。
【０００８】
この不都合を回避するため、１つの組織において地中埋設物を一括管理することも考えられるが、上下水道や、ガス管、通信回線等の多種の一括管理するためには、一括管理を行うための組織やシステムを新たに作り出す必要があるばかりか、管理される地中埋設物の情報を頻繁に更新する必要性があることや、全ての地中埋設物の情報の情報量が大きくなり過ぎことも考えられ実現性が低いものであった。
【０００９】
本発明の目的は、管理する組織が異なる地中埋設物の位置を的確に表示できる図面管理システムを合理的に構成する点にある。
【００１０】
【課題を解決するための手段】
本発明の請求項１に係る図面管理システムの特徴、作用・効果は次の通りである。
〔特徴〕
地中に埋設された管理対象施設毎に対応する形状を示す図形データと当該管理対象施設の埋設位置データを含む属性データから成る埋設施設データベースと、前記埋設施設データベースに基づいて前記管理対象施設を平面配置図面として管理する平面配置図面管理手段とを備えて成る図面管理装置が複数台ネットワーク接続された図面管理システムにおいて、前記図面管理装置の少なくとも一つに前記平面配置図面に入力された切断面データで特定される特定切断面における前記管理対象施設の断面配置図面を前記埋設施設データベースに格納されたデータから自動生成する断面配置図面生成手段を備え、前記断面配置図面生成手段は、自己の管理対象外施設の断面配置図面を生成するのに必要な情報を他の図面管理装置で管理される管理対象施設から入力して合成断面配置図面を生成する合成断面配置図面生成部を備えて成る点にある。
【００１１】
〔作用・効果〕
上記特徴によると、複数の図面管理装置夫々において図面管理装置が、埋設施設データベースに基づいて管理対象施設を平面配置図面として管理できると共に、平面配置図面に入力された切断面データに基づき、その図面管理装置の埋設施設データベースと、この図面管理装置にネットワーク接続する他の図面管理装置の埋設施設データベースとに格納されたデータから、断面配置図面生成手段が管理対象施設の断面配置図面を生成し、かつ、合成断面配置図生成部が自己の管理対象外施設から断面配置図を生成するに必要な情報を入力して合成断面配置図を生成する。つまり、断面配置図を生成する場合には、その図面管理装置に対してネットワークで接続する図面管理装置の埋設施設データベースからの情報に基づいて断面配置図を生成できるので、例えば、水道管の埋設情報を保存するデータベースを備えた図面管理装置で道路の断面配置図を生成する場合でも、ガスを供給する企業の図面管理装置のデータベースからガス管の埋設情報を取得して、このガス管の断面配置図と水道管の断面配置図と合成した合成断面配置図をディスプレイ等に出力できる。その結果、管理する組織が異なる埋設施設の位置を的確に把握できる図面管理システムが合理的に構成された。
【００１２】
本発明の請求項２に係る図面管理システムの特徴、作用・効果は次の通りである。
〔特徴〕
請求項１記載の図面管理システムにおいて、前記合成断面配置図面生成部は、少なくとも他の図面管理装置に対して、前記平面配置図面に入力された切断面データを送信するものである点にある。
【００１３】
〔作用・効果〕
上記特徴によると、合成断面配置図を生成する場合には、切断面データをネットワークに送信することにより、ネットワークを介して必要とするデータを得ることが可能となる。その結果、切断面の位置を特定し得るデータを送信するよう構成するだけで、精度の高い断面配置図面を生成できるものとなった。
【００１４】
本発明の請求項３に係る図面管理システムの特徴、作用・効果は次の通りである。
〔特徴〕
請求項２記載の図面管理システムにおいて、前記他の図面管理装置は、受信した前記切断面データに基づいて自己の管理対象施設の断面配置図面データを返信する断面配置図面データ返信手段を備えて成る点にある。
【００１５】
〔作用・効果〕
上記特徴によると、切断面データを受信した場合には、その切断面データに基づき自己の管理対象施設の断面配置図面データをネットワークを介して返信するので、特別に人為的な操作を行わずとも求められたデータを送り出すことが可能となる。その結果、ネットワークに接続する図面管理装置において必要とする断面配置図を効率的に生成できるものとなった。
【００１６】
本発明の請求項４に係る図面管理システムの特徴、作用・効果は次の通りである。
〔特徴〕
請求項１記載の図面管理システムにおいて、前記平面配置図面管理手段は、平面配置図面を生成するに必要な情報を他の図面管理装置から入力して前記管理対象施設を平面配置図面として生成できるよう構成され、前記合成断面配置図面生成部は、他の図面管理装置から入力された前記情報から前記管理対象施設の切断配置図面を生成できるよう構成されて成る点にある。
【００１７】
〔作用・効果〕
上記特徴によると、平面配置図面管理手段は自己の図面管理装置の埋設物施設データベースからのデータと、ネットワークを介して接続する他の図面管理装置の埋設物施設データベースから入力したデータとに基づいて管理対象施設を平面配置図面として生成できると共に、このように入力したデータに基づき合成断面配置図面生成手段が管理対象視施設の断面配置図面を生成できる。その結果、断面配置図面を生成する場合に、管理組織が異なる管理対象施設を平面配置図面で確認した後に断面配置図面を容易に生成できるものとなった。
【００１８】
本発明の請求項５に係る図面管理システムの特徴、作用・効果は次の通りである。
〔特徴〕
請求項１〜４のいずれか１項に記載の図面管理システムにおいて、前記断面配置図面生成手段は、前記平面配置図面が表示されたディスプレイの表示面上にポインティングデバイスで表示位置変更自在に切断指標を表示すると共に、この切断指標の表示位置から切断位置と、断面幅とを設定し、この設定に基づき前記切断面データを生成するように構成されている点にある。
【００１９】
〔作用・効果〕
上記特徴によると、ディスプレイに表示された平面配置図面に表示された切断指標をポインティングデバイスで位置を設定して切断位置を切断幅とを設定することにより、指定した位置で指定した幅で断面配置図面が生成される。つまり、ポインティングデバイスとしてのマウス等を操作する程度の容易な処理により、オペレータが望む位置で、望む幅の断面配置図面を生成できる。
【００２０】
【発明の実施の形態】
以下、本発明の実施の形態を図面に基づいて説明する。
図１に示すように、ネットワークとしてのインターネットＮに接続する上下水道施設管理サーバＡを有すると共に、この上下水道施設管理サーバＡに対してネットワークとしてのイーサーネット（Ｅｔｈｅｒｎｅｔ）型のＬＡＮを介して接続する複数の図面管理装置ＢとプリンタＣとを備えると共に、このインターネットＮに対してガスを供給する企業に設置されたガス供給施設管理サーバＤを接続し、かつ、これにＬＡＮを介して図面管理装置Ｂを接続し、又、前記インターネットＮに対して商用の通信回線を管理する企業に設置された通信施設管理サーバＥを接続し、かつ、これにＬＡＮを介して図面管理装置Ｂを接続して図面管理システムが構成されている。
【００２１】
この図面管理システムでは、上下水道施設管理サーバＡに対して、上水道管や下水道管（管理対象施設の一例）等の上下水道施設の埋設情報を埋設施設データベースとして保存し、ガス供給施設管理サーバＤに対してガス供給施設の複数の図面管理装置Ｂの何れからでもインターネットＮに接続するサーバに対して、ガス管（管理対象施設の一例）等のガス供給施設の埋設情報を埋設施設データベースとして保存し、通信施設管理サーバＥに対して、通信ケーブル（管理対象施設の一例）等の埋設情報を埋設施設データベースとして保存してある。そして、何れのサーバに接続する図面管理装置Ｂからでも他のサーバに接続して埋設情報を取得して埋設施設の平面配置図面と断面配置図面とを生成できるよう構成され、以下に、平面配置図面と断面配置図面とを生成する際の処理形態の一例として、上下水道施設管理サーバＡに接続する図面管理装置Ｂにおける処理を説明する。
【００２２】
図１及び２に示すように、前記上下水道施設管理サーバＡは、上水道施設の埋設情報を保存する上水道施設データベース１（埋設施設データベースの一例）と、下水道施設の埋設情報を保存する下水道施設データベース２（埋設施設データベースの一例）と、これらから必要な情報を検索して出力するアプリケーションサーバ３と、インターネットＮと接続するＷｅｂサーバ４を備えている。尚、上水道施設データベース１と下水道施設データベース２とで前記埋設施設データベース９が構成されている。
【００２３】
前記図面管理装置Ｂは、汎用コンピュータ５と、情報を表示するディスプレイ６と、情報を入力するキーボード７と、ポインティングデバイスとして機能するマウス８とを備えて構成されている。又、図２に示すように、この図面管理装置Ｂの汎用コンピュータ５には図面管理プログラム５ａと、データ変換手段としてのデータ変換プログラム５ｂとがインストールされている。前記図面管理プログラム５ａは、埋設施設データベース９、１０からの情報に基づき埋設物が埋設された領域を平面配置図としてディスプレイ６に表示する平面配置図面管理手段として機能する平面配置図表示ルーチンが設定されと共に、このディスプレイ６に平面的に表示された領域に対して切断面データとしての断面位置を指定することで縦断配置面を生成してディスプレイ６に表示する断面配置図面生成手段として機能する断面配置図表示ルーチンが設定されている。又、この図面管理プログラム５ａはディスプレイ６に表示される画像を前記プリンターＣに出力できるようにも機能し、前記データ変換プログラム５ｂはガス供給施設管理サーバＤの埋設施設データベース１０や通信施設管理サーバＥの埋設施設データベース１０からの情報を図面管理プログラム５ａで扱えるデータ形式に変換するよう機能する。
【００２４】
前記ガス供給施設管理サーバＤにはガス供給施設の埋設施設情報を保存する埋設施設データベース１０と、この埋設施設データベース１０から必要な情報を検索して出力するアプリケーションサーバ１１と、Ｗｅｂサーバ１２とを備えてデータベースサーバとして機能するものであり、インターネットＮを介してログインした側からの要求に基づき、要求に対応した埋設情報を送り出すようＣＧＩ　（Ｃｏｍｍｏｎ　Ｇａｔｅｗａｙ　Ｉｎｔｅｒｆａｃｅ）の機能を具備している。これと同様に、前記通信施設管理サーバＥには通信施設の埋設施設情報を保存する埋設施設データベース１０と、この埋設施設データベース１０から必要な情報を検索して出力するアプリケーションサーバ１１と、Ｗｅｂサーバ１２とを備えてデータベースサーバとして機能するものであり、インターネットＮを介してログインした側からの要求に基づき、要求に対応した埋設情報を送り出すようＣＧＩ（Ｃｏｍｍｏｎ　Ｇａｔｅｗａｙ　Ｉｎｔｅｒｆａｃｅ）の機能を具備している。尚、図面には示していないが夫々のサーバＡ、Ｄ、ＥはインターネットＮに対してルータ、ファイアーウオール等を介して接続している。
【００２５】
この実施の形態では上下水道施設管理サーバＡをデータベースとして機能させているが、図面管理装置Ｂを構成する汎用コンピュータ５のハードディスクに上下水道の埋設施設情報を保存して、この汎用コンピュータ５をデータベース（埋設施設データベース）として機能させることが可能であり、前述した図面管理プログラム５ａを上下水道施設管理サーバＡにインストールすると共に、この上下水道施設管理サーバＡで必要な処理を実行し、その処理結果を図面管理装置Ｂのディスプレイ６に表示するよう処理形態を設定することも可能である。
【００２６】
前記ガス供給施設管理サーバＤ、通信施設管理サーバＥ夫々にはＬＡＮを介して図面管理装置Ｂが接続している。この図面管理装置Ｂは汎用コンピュータ５と、情報を表示するディスプレイ６と、情報を入力するキーボード７と、ポインティングデバイスとして機能するマウス８とを備えて構成されている。そして、ガス供給施設管理サーバＤに接続する図面管理装置Ｂはガス管やガス管に付随する施設の埋設位置の位置を更新することや埋設位置をプリンタ（図示せず）等へ出力するよう機能する。これと同様に、通信施設管理サーバＥに接続する図面管理装置Ｂは、通信回線や通信回線に付随する施設の埋設位置を更新することや埋設位置をプリンタ（図示せず）等に出力するよう機能する。
【００２７】
前記上水道施設データベース１（埋設施設データベースの一例）に保存される埋設情報は水源、水道管、弁栓等の施設の種類、及び、施設の形状等を示す図形データと、例えば、水道管であれば、延長、管種、管径、埋設地盤高、及び、埋設位置データを含み施設管理に必要な属性データとで成り、図形データと属性データとはリンク情報により関連付けられている。これと同様に、下水道施設データベース２（埋設施設データベースの一例）に保存される図形データは下水道管、暗渠、ポンプ等の施設の種類、及び、施設の形状を示す図形データと、例えば、下水道管であれば、延長、管種、管径、埋設地盤高、及び、埋設位置データを含み施設管理に必要な属性データとで成り、図形データと属性データとはリンク情報により関連付けられている。
【００２８】
又、前記ガス供給施設管理サーバＤの埋設施設データベース１０に保存される図形データは、ガス供給施設の種類と施設の形状とを示す形状データと、この施設の一例としてのガス管であれば、延長、管種、管径、埋設位置データを含みの施設管理に必要な属性データとで成り、図形データと属性データとはリンク情報により関連付けられている。前記通信施設管理サーバＥの埋設施設データベース１０に保存される図形データは、通信回線等の施設の種類と施設の形状を示す形状データと、この施設の一例として通信回線であれば、延長、回線種類、性能、及び、埋設位置データを含み施設管理に必要な属性データとで成り、図形データと属性データとはリンク情報により関連付けられている。
【００２９】
次に、上下水道施設管理サーバＡに接続する図面管理装置Ｂにおいて、図面管理プログラム５ａによりディスプレイ６に対して埋設物の配置を平面的に表示する処理と、この埋設物を断面表示する処理とを説明する。
【００３０】
図３のフローチャートに示すように、図面管理プログラム５ａを構成する平面配置図表示ルーチンの処理形態が設定されている。この平面配置図表示ルーチンは、任意に設定された領域、あるいは、初期設定領域に対応して上水道施設データベース１、あるいは、下水道施設データベース２からの情報を抽出し、ディスプレイ６に対して道路等の輪郭線２０（路肩部分）や敷地の輪郭線２０で成る背景部分の表示を行う。この表示は第１のレイヤに対して輪郭線２０を画像化することで行い、この表示状態では、マウス８やキーボード７の操作により拡大率を指定することや、スクロールすることで表示領域を指定することも可能であり、この指定により必要とする領域が必要とする拡大率で表示された場合には、マウス８やキーボード７を操作して表示領域が決定することにより、次の処理に移行する（＃１０１、＃１０２ステップ）。尚、前記レイヤとは、ディスプレイ６に表示する画像を管理するデータ領域のことであり、複数のレイヤが生成された場合には、夫々のレイヤの画像を重ね合わせる形態で夫々のレイヤで管理される画像をディスプレイ６に表示することを実現するものであり、必要な場合には選択したレイヤの画像のみをディスプレイ６に表示する処理も実現する。
【００３１】
次に、上水道施設データベース１と、下水道施設データベース２とからの情報に基づいて埋設された上水道施設としての上水道管２１と、埋設された下水道施設としての下水道管２２とを平面的に表示し、更に、ガス供給施設管理サーバＤ、及び、通信施設管理サーバＥにログインし、夫々の埋設施設データベース１０から埋設情報を取得し、データ変換プログラム５ｂで変換処理を行った後に埋設されたガス供給施設としてのガス管２３と、埋設された通信施設としての通信回線２４とを平面的に表示する（＃１０３〜＃１０６ステップ）。このように表示処理では、上水道施設は第２のレイヤに画像化し、下水道施設は第３のレイヤに画像化し、ガス供給施設は第４のレイヤに画像化し、通信施設は第５のレイヤに画像化して、これらのレイヤを重ね合わせる形態で表示している。
【００３２】
上水道管２１と、下水道管２２と、ガス管２３と、通信回線２４とを平面的に表示する場合には、例えば、上水道管２１をブルー、下水道管２２をイエロー、ガス管２３をレッド、通信回線２４をグリーンのようにレイヤ毎に異なる色相で表示することで埋設物の種類を色により識別できるようにしており、更に、上水道管２１の近傍位置に「上水」、下水道管２２の近傍位置に「下水」、ガス管２３の近傍位置に「ガス」、通信回線２４の近傍位置に「通信」の文字を表示することで適正に認識できるようにしてある。
【００３３】
前述した処理では、道路等の輪郭線２０を先に表示しておき、表示領域が決定した後に上水道管２１と、下水道管２２とを表示するよう処理順序を設定していたが、輪郭線２０と上水道管２１と下水道管２２とを同時に表示するよう処理形態を設定することが可能であり、又、平面配置図表示ルーチンにおいて、夫々のデータベースからの埋設情報に基づき上水道管２１と、下水道管２２と、ガス管２３と、通信回線２４とを表示した拡大率を指定することや、スクロールすることで表示領域を指定するよう処理形態を設定することも可能である。
【００３４】
又、前記データ変換プログラム５ｂでは、ガス供給施設管理サーバＤ、及び、通信施設管理サーバＥのデータベースにおける埋設情報のデータ形式が上下水道施設管理サーバＡのデータベース１、２における埋設情報のデータ形式と異なる場合に、上下水道施設管理サーバＡで使用可能なデータ形式に変換する処理を行う。この変換時には図形データと属性データとのデータの配列や、データのコードや、リンク情報のデータ構造等が変換されるばかりで無く、埋設位置を示す座標系（経度・緯度に基づく絶対座標系、あるいは、所定の基準座標からの相対位置を示す相対座標系等）、図面の描画方向（例えば北側がどの方向であるか等の情報）、拡大率等も変換され上下水道施設管理サーバＡのデータベース１、２における埋設情報との整合が図られる。
【００３５】
次に、断面表示を行う入力があった場合には、断面配置図表示ルーチンにおいて縦断面を表示する処理が実行される（＃１０７ステップ、＃２００ステップ）。
【００３６】
断面配置図表示ルーチン（＃２００ステップ）では図４のフローチャートに示すように処理が進められると共に＃２０１ステップではディスプレイ６に対して切断指標としての切断線Ｌを表示して図５（イ）〜（ニ）に示す内容が表示される。
【００３７】
〈１．〉カーソル１５の位置に対して図５（イ）に示すように切断線Ｌを点滅表示して切断位置の決定を求める。この表示状態でマウス８を移動操作することで、このマウス８の移動に連係して切断線Ｌを移動させる表示が行われ、縦断面図を必要とする位置に切断線Ｌが達した状態でマウス８のスイッチをクリックすることにより、このクリックの時点における切断線Ｌの位置が切断位置に決定され、切断線Ｌの点滅が停止して継続的な表示に切換わる。尚、この処理では断面表示ルーチンの処理が開始した時点で、カーソル１５の位置に切断線Ｌが表示されるものである。この表示は、カーソル１５の位置に最も近い位置の道路の輪郭線２０に対して直交する姿勢に設定されるものであり、この断面表示ルーチンに対して切断線Ｌの姿勢を任意に設定するための設定処理系を備えても良い。
【００３８】
〈２．〉このように切断線Ｌの位置が決定した後には、切断線Ｌの両端部分を点滅表示して切断線Ｌの長さの決定を求める。この点滅表示状態でマウス８を移動操作して図５（ロ）に示すように切断線Ｌの一方の端部にカーソル１５を位置させてマウス８のスイッチをクリックした後に延長、あるいは、短縮方向にカーソル１５を移動させることにより切断線Ｌの両端部が延長、あるいは、短縮表示されるものとなり、必要とする断面表示させる長さにある状態でマウス８の再度スイッチをクリックすることで、切断線Ｌの長さが決定され、切断線Ｌの両端部分の点滅が停止して継続的な表示に切換わる。
【００３９】
〈３．〉このように切断線Ｌの長さが決定した後には、図５（ハ）に示すように切断線Ｌの両端部位置に対して切断視方向を示す矢印Ｌａを点滅表示して方向の決定を求める。この表示状態でマウス８を移動操作して切断表示すべき側の矢印Ｌａを選択し、その矢印Ｌａにカーソル１５を位置させてマウス８のスイッチをクリックすることにより、選択された矢印Ｌａの点滅が停止して継続的な表示に切換わり、他方の矢印Ｌａは消去される。
【００４０】
〈４．〉これらの操作が終了した時点では、図５（ニ）に示すように、切断位置において切断長さで切断線Ｌが表示され、この切断線Ｌの端部位置に切断方向を示す矢印Ｌａが表示されるものとなり、この状態に達すると、切断長さと、切断視方向とを示す切断情報が取得される。
【００４１】
尚、この＃２０１ステップにおいてマウス８の操作によって切断線Ｌの位置や切断線Ｌの長さ等を設定する処理を説明したが、この処理を実行するにマウス８に限らず、キーボード７のカーソルキーを用いることや、ノート型のパソコンのようにトラックパッドやトラックボールを備えているものでは、これらのポインティングデバイスを用いて良く、タッチパネルの機能を有するディスプレイ６を使用する場合には、タッチパネルの機能を利用して切断線Ｌを制御することが可能である。
【００４２】
このように切断情報を取得すると、切断情報に対応する位置の埋設施設の埋設情報を抽出し、図６に示すように、埋設物や切断線Ｌを平面配置図面として表示されたウインドウＷと独立して新たにウインドウＷｎを開き、抽出された情報を画像化し、かつ、埋設深さ、埋設位置等の必要な数値等を断面配置図面として表示する処理が実行される（＃２０２、＃２０３ステップ）。又、このように埋設物を画像化して表示する際に、例えば、上水道管２１の場合には、管径を示す属性データに基づき、その管径に対応するサイズとなる円形の断面を、埋設深さに対応する位置に表示する処理と、配置や埋設深さを数値で示す処理とが行われる。特に、縦断面を表示する場合には上水道管２１の断面をブルー、下水道管２２の断面をイエロー、ガス管２３の断面をレッド、通信回線２４の断面をグリーンのように平面において用いた色相と同じ色相で表示することで理解しやすいものにしている。このようにウインドウＷｎを新たに開いて生成される断面配置図では、背景、上水道管、下水道管、ガス管、通信回線を異なるレイアに対して異なる色相で画像化して表示することが選択的な表示が可能である点において理想であるが、単一のレイアに対して全ての埋設施設を画像化して表示する形態であっても良い。
【００４３】
このように本発明では、上水道施設、下水道施設、ガス供給施設、通信施設等、埋設物を管理する組織が異なる場合であっても、インターネットＮを介し夫々の組織から埋設情報を取得し、しかも、取得した埋設情報のデータ形式が異なる場合でも処理可能なデータ形式に変換し、整合させた状態で処理を行うので、埋設物を平面配置図面として表示する場合でも、断面配置図面として表示する場合でも、精度の高い表示を可能にする。そして、埋設物を断面配置図面として表示する場合には、断面配置図面を表示すべき位置を任意に指定し、断面幅を任意に指定し、断面視方向を任意に指定できるのでオペレータが必要とする縦断面図を表示でき、この表示が行われた状態では埋設物の配置、大きさ、形状を視覚的に容易に把握できるばかりでなく、埋設物の種類をディスプレイ６に表示される色相で直感的に把握し、埋設位置や属性を数値や文字情報で詳細に把握することも可能にする。このように平面的に表示された埋設物の配置や、縦断面として表示された埋設物の配置をプリンターＣで必要なサイズにプリントすることで、例えば、道路工事を行う場合に掘削時に水道管やガス管を破損する不都合を未然に回避できるものとなる。尚、本発明では埋設物の配置を平面的に示すデータや、埋設物の配置を縦断面的に示すデータをノートパソコンやＰＤＡ（Ｐｅｒｓｏｎａｌ　Ｄｉｇｉｔａｌ　Ａｓｓｉｓｔａｎｔ）に保存し、例えば、道路工事の現場で、そのディスプレイに表示することで埋設物の位置を確認する形態での使用も可能である。
【００４４】
この実施の形態では、上水道施設管理サーバＡに接続する図面管理装置Ｂにおける処理形態を説明したが、ガス供給施設管理サーバＤ、あるいは、通信施設管理サーバＥに接続する図面管理装置Ｂにおいてもディスプレイ２に対して平面配置図を表示することや、断面配置図を表示するよう処理動作を設定することが可能である。
【００４５】
〔別実施の形態〕
本発明は上記実施の形態以外に、例えば、以下のように構成することも可能である（この別実施の形態では前記実施の形態と同じ機能を有するものには、実施の形態と共通の番号、符号を付している）。
【００４６】
（ａ）図７のフローチャートに示すように、例えば、上下水道施設管理サーバＡに接続する図面管理装置Ｂにおいて、任意に設定された領域、あるいは、初期設定領域に対応して上水道施設データベース１、あるいは、下水道施設データベース２からの情報に基づき、ディスプレイ６に対して道路等の輪郭線２０（路肩部分）や敷地の輪郭線２０で成る背景部分の表示を行う。この表示状態では、マウス８やキーボード７の操作により拡大率を指定することや、スクロールすることで表示領域を指定することも可能であり、この指定により上水道施設データベース１と、下水道施設データベース２とからの情報に基づいて埋設された上水道施設としての上水道管２１と、埋設された下水道施設としての下水道管２２とを平面的に表示する（＃３０１〜＃３０３ステップ）。
【００４７】
次に、断面表示を行う入力があった場合には、断面配置図表示ルーチンにおいて縦断面を表示する処理が実行される（＃３０４ステップ、＃４００ステップ）。
【００４８】
断面配置図表示ルーチン（＃４００ステップ）では図８のフローチャートに示すように処理が進められると共に＃４０１ステップではディスプレイ６に対して切断指標としての切断線を表示して、前述した図５（イ）〜（ニ）に示す内容に準ずる表示行われる。この処理は前述したものと基本的に変わる部分はないので省略する。
【００４９】
このように切断情報を取得すると、切断情報に対応する位置の上水道施設と、下水道施設の断面配置図を表示し、次に、ガス供給施設管理サーバＤ、及び、通信施設管理サーバＥにログインし、夫々の埋設施設データベース１０から切断位置に対応する埋設情報を取得し、データ変換プログラム５ｂ変換処理を行った後に埋設されたガス供給施設としてのガス管２３と、埋設された通信施設としての通信回線２４との断面配置図を表示する（＃４０３〜＃４０５ステップ）。そして、上水道管２１と、下水道管２２と、ガス管２３と、通信回線２４との断面配置図に表示する場合には、例えば、上水道管２１をブルー、下水道管２２をイエロー、ガス管２３をレッド、通信回線２４をグリーンのように異なる色相で表示することで埋設物の種類を色により識別できるようにしており、更に、上水道管２１の近傍位置に「上水」、下水道管２２の近傍位置に「下水」、ガス管２３の近傍位置に「ガス」、通信回線２４の近傍位置に「通信」の文字を表示することで適正に認識できるようにしてある。
【００５０】
尚、変換処理においては、ガス供給施設管理サーバＤ、及び、通信施設管理サーバＥのデータベースにおける埋設情報のデータ形式が上下水道施設管理サーバＡのデータベース１、２における埋設情報のデータ形式と異なる場合に、上下水道施設管理サーバＡで使用可能なデータ形式に変換する処理を行う。この変換時には図形データと属性データとのデータの配列や、データのコードや、リンク情報のデータ構造等が変換されるばかりで無く、埋設位置を示す座標系（経度・緯度に基づく絶対座標系、あるいは、所定の基準座標からの相対位置を示す相対座標系等）、図面の描画方向（例えば北側がどの方向であるか等の情報）、拡大率等も変換され上下水道施設管理サーバＡのデータベース１、２における埋設情報との整合が図られる。
【００５１】
この別実施の形態（ａ）のように、インターネットＮを介して断面配置図を取得するよう構成したものでは、インターネットＮで送られるデータ量を少なくして迅速な処理を実現する。
【００５２】
（ｂ）図９に示すように、ディスプレイ６を備え、無線通信機３０を備えたコンピュータ端末５に対して図面管理プログラムとデータ変換プログラムをインストールすると共に、このコンピュータ端末５を工事現場等の屋外からインターネットＮで成る通信手段を介して複数のサーバＡ、Ｄ、Ｅのデータベースに接続し、夫々のサーバＡ、Ｄ、Ｅから埋設情報を取得するよう構成することも可能である。このように端末５からインターネットＮに接続する場合には、インターネットＮに接続する基地局３１に対して商用の無線電話回線を介して接続することが簡便である。そして、このように図面管理システムを構成することにより、工事現場において、例えば、工事を行うべき位置を変更した場合にも、この変更に即座に対応して埋設物の位置を把握できるので、埋設位置を予めプリントしたものを用いる場合と比較して、能率的な作業が可能となる。
【００５３】
本発明は、特定の企業内に形成されるＬＡＮや、特定の組織内に形成されＷＡＮでネットワークを構成することが可能であり、又、これらＬＡＮやＷＡＮとインターネットとを組み合わせてネットワークを構成することも可能である。
【図面の簡単な説明】
【図１】図面管理システムの全体構成図
【図２】図面管理システムの情報の流れを示すブロック図
【図３】平面配置図表示ルーチンのフローチャート
【図４】断面配置図表示ルーチンのフローチャート
【図５】ディスプレイの表示内容を示す図
【図６】平面配置図と断面配置図との表示形態を示す図
【図７】別実施の形態（ａ）の平面配置図表示ルーチンのフローチャート
【図８】別実施の形態（ａ）の断面配置図表示ルーチンのフローチャート
【図９】別実施の形態（ｂ）の図面管理システムの全体構成図
【符号の説明】
６　　　　　　　ディスプレイ
８　　　　　　　ポインティングデバイス
９、１０　　　　埋設施設データベース
Ｂ　　　　　　　図面管理装置
Ｎ　　　　　　　ネットワーク
【図１】
2004110517.tif 000003
【図２】
2004110517.tif 000004
【図３】
2004110517.tif 000005
【図４】
2004110517.tif 000006
【図５】
2004110517.tif 000007
【図６】
2004110517.tif 000008
【図７】
2004110517.tif 000009
【図８】
2004110517.tif 000010
【図９】
2004110517.tif 000011